(57)【要約】【課題】天井面に配設された複数の照明器具の設置位置を自動的に検出することを可能にして、作業の簡易化及び作業時間の短縮化を図れる照明制御システム及び位置検出方法を提供する。【解決手段】本発明の照明制御システム１は、複数の照明器具５ａ〜５ｉ（センサ部２１も含む）に対してデータの無線通信が可能で且つ相互にデータの無線通信が可能な第１及び第２の位置検出機器２、３と、第１の位置検出機器２とデータの無線通信可能な操作用ＰＣ４とを有する。この操作用ＰＣ４は、位置検出機器２、３により、複数の照明器具５ａ〜５ｉに対して順次データの送受信を行わせて、これら照明器具５ａ〜５ｉからの各受信データの受信レベルを検出し、この検出した受信レベルと第１の位置検出機器２と第２の位置検出機器３との間の所定の距離Ｌとに基づき、天井面５０ａにおける複数の照明器具５ａ〜５ｉの設置位置を検出するように演算処理する。【選択図】図１
2008243806.tif 000002
【特許請求の範囲】
【請求項１】
天井面に配設された複数の照明制御負荷部に対して無線通信が可能であって、所定の距離間隔を有して配設される第１及び第２の位置検出機器と；
予め設定された任意の位置に配設された前記第１及び第２の位置検出機器により、前記複数の照明制御負荷部に対して無線信号の送信又は受信を行うことで、前記第１及び第２の位置検出機器と前記照明制御負荷部との間の無線信号の受信レベルを前記照明制御負荷部毎にそれぞれ検出し、前記天井面における前記複数の照明制御負荷部の設置位置情報を出力するように演算処理を行う演算処理部と；
を具備したことを特徴とする照明制御システム。
【請求項２】
前記第１及び第２の位置検出機器と前記照明制御負荷部との間の無線信号の受信レベルの検出は、前記複数の照明制御負荷部とそれぞれに割り当てられているアドレスとが対応付けされた対応データに基づいて行われることを特徴とする請求項１に記載の照明制御システム。
【請求項３】
前記複数の照明制御負荷部は、複数の照明器具及びセンサ部を有して構成されていることを特徴とする請求項１又は請求項２に記載の照明制御システム。
【請求項４】
天井面に配設された複数の照明制御負荷部に対して無線通信が可能であって、所定の距離間隔を有して配設される第１及び第２の位置検出機器と、前記第１及び第２の位置検出機器と前記照明制御負荷部との間の無線通信の受信レベルに基づき演算処理を行う演算処理部とを有する照明制御システムに用いられる、前記複数の照明制御負荷の設置位置を検出するための位置検出方法であって；
前記第１の位置検出機器と前記第２の位置検出機器との間の前記所定距離を前記演算処理部に入力する入力手順と；
前記第１及び第２の位置検出機器を用いて前記複数の照明制御負荷部の無線信号の受信レベルを前記照明制御負荷部毎に検出する検出手順と；
前記検出手順により検出した受信レベルに基づき、前記入力手順により入力した前記第１の位置検出機器と前記第２の位置検出機器との間の前記所定の距離から、前記演算処理部を用いて前記天井面における前記複数の照明制御負荷部の設置位置を出力するように演算処理する演算処理手順と；
を含むことを特徴とする照明制御システムの位置検出方法。
【発明の詳細な説明】
【技術分野】
【０００１】
本発明は、例えば建物内の天井面に配設された複数の照明器具の設置位置を自動的に検出することの可能な照明制御システム及びこの照明制御システムに用いられる位置検出方法に関する。
【背景技術】
【０００２】
一般に、例えば建物内の天井面に配設された複数の照明器具は、遠隔操作可能な照明制御装置によってオン／オフが制御される。  
照明制御装置は、複数の照明器具のうち、所定数のグループ毎の照明器具をオン／オフ制御するものであり、それぞれの照明器具の固有のアドレス情報を取得し、これらのアドレス情報を用いて所定数のグループ毎の照明器具となるようにグルーピングしている。
【０００３】
グルーピングを行うのに必要な各照明器具のアドレス情報は、従来、施工時に作業者がディップスイッチ又はリモコン等の操作により１台ずつアドレス情報を手作業で設定するといった方法が用いられていた。そして、照明器具の設置位置及び設置位置とアドレス情報との対応関係の把握は、作業者が図面化することによって行われていた（例えば、特許文献１参照）。
【０００４】
また、無線電波発信源から送信された信号を受信し、その受信タイミングから端末の位置を測定する無線位置測定装置の位置検出方法に関し、特に無線ＬＡＮシステムにおいて端末の位置を特定するシステムの位置検出方法に関する技術が開示されている（例えば、特許文献２参照）。
【特許文献１】特開平９−３５８７５号公報
【特許文献２】特開２００６−１３８７３２号公報
【発明の開示】
【発明が解決しようとする課題】
【０００５】
しかしながら、特許文献１に記載の技術では、作業者がディップスイッチを操作し、１台ずつ、グルーピングを行うのに必要な各照明器具のアドレス情報を設定し、その後、図面上に記載するといった図面化を行っているため、作業が繁雑であり且つ多くの作業時間を費やしてしまうといった問題点があった。
【０００６】
また、前記特許文献２に記載の技術は、無線電波発生源から送信された信号を受信し、その受信タイミングから端末の位置を測定する無線測定装置の位置検出方法に関する技術を開示している。しかしながら、この信号は光速度に相当するものであるので、遠距離の端末の位置を測定するには適しているが、室内などの近距離の照明器具の設置位置を検出するには不向きである。また、その信号の受信タイミングを検出するには高精度な検出手段が必要不可欠となるため、コストも高価となってしまう。
【０００７】
このように前記特許文献２の技術を、照明器具の設置位置を自動的に検出する照明制御システムには適用することは困難である。
【０００８】
そこで、本発明は前記問題点に鑑みてなされたもので、天井面に配設された複数の照明器具の設置位置を自動的に検出することを可能にして、自動的に複数の照明器具の設置位置情報を取得することが可能なアドレス取得作業の省力化を行える照明制御システム及びこの照明制御システムに用いられる位置検出方法を提供することを目的とする。
【課題を解決するための手段】
【０００９】
本発明の請求項１に係る照明制御システムは、天井面に配設された複数の照明制御負荷部に対して無線通信が可能であって、所定の距離間隔を有して配設される第１及び第２の位置検出機器と；予め設定された任意の位置に配設された前記第１及び第２の位置検出機器により、前記複数の照明制御負荷部に対して無線信号の送信又は受信を行うことで、前記第１及び第２の位置検出機器と前記照明制御負荷部との間の無線信号の受信レベルを前記照明制御負荷部毎にそれぞれ検出し、前記天井面における前記複数の照明制御負荷部の設置位置情報を出力するように演算処理を行う演算処理部と；を有している。
【００１０】
本発明において、前記演算処理部は、前記第１又は前記第２の位置検出機器に対して、前記複数の照明制御負荷部の設置位置の検出動作を開始させる指示、及び前記所定の距離データを入力操作する入力部を有する、例えば操作用のパーソナルコンピュータ又はタッチパネル等で構成することができる。
【００１１】
また、前記第１及び第２の位置検出機器と前記照明制御負荷部毎との間の無線信号の受信レベルとは、例えば第１及び第２の位置検出機器から送信された無線信号の各照明制御負荷部における受信レベルであってもよいし、各照明制御負荷部からそれぞれ送信された無線信号の第１及び第２の位置検出機器における受信レベルであってもよい。
【００１２】
尚、第１及び第２の位置検出機器と照明制御負荷部との無線通信は、複数の照明制御負荷部のそれぞれに割り当てられているアドレス、第１及び第２の位置検出機器に割り当てられているアドレスを用いて行うことができる。
【００１３】
複数の照明制御負荷部とは、無線通信可能な構成であれば例えば照明器具、人感センサ、照度センサ等の照明制御システムで用いられる負荷部であればよく、複数の照明制御負荷部は全てを前記照明器具、照度センサ、人感センサ等のいずれか一種で構成しても良いし、それぞれを組合せた構成であってもよい。
【００１４】
また、第１及び第２の位置検出機器を照明制御負荷部と一体に構成してもよい。  
常設し照明制御システムの使用時等に無線の中継器等として使用してもよいし、取り外し可能な構成とし設置位置情報を取得した後は取り外してもよい。  
設置位置情報とは、天井面からみたときの第１及び第２の位置検出機器に対する各照明制御負荷部の相対的な位置関係である。
【００１５】
本発明の請求項２に係る照明制御システムは、請求項１に記載の照明制御システムにおいて、前記第１及び第２の位置検出機器と前記照明制御負荷部との間の無線信号の受信レベルの検出は、前記複数の照明制御負荷部とそれぞれに割り当てられているアドレスとが対応付けされた対応データに基づいて行われることを特徴とする。
【００１６】
本発明の請求項３に係る照明制御システムは、請求項１又は請求項２に記載の照明制御システムにおいて、前記複数の照明制御負荷部は、複数の照明器具及びセンサ部を有して構成されていることを特徴とする。
【００１７】
また、本発明の請求項４に係る照明制御システムに用いられる位置検出方法は、天井面に配設された複数の照明制御負荷部に対して無線通信が可能であって、所定の距離間隔を有して配設される第１及び第２の位置検出機器と、前記第１及び第２の位置検出機器と前記照明制御負荷部との無線通信の受信レベルに基づき演算処理を行う演算処理部とを有する照明制御システムに用いられる、前記複数の照明制御負荷の設置位置を検出するための位置検出方法であって；前記第１の位置検出機器と前記第２の位置検出機器との間の前記所定距離を前記演算処理部に入力する入力手順と；前記第１及び第２の位置検出機器を用いて前記複数の照明制御負荷部の無線信号の受信レベルを前記照明制御負荷部毎に検出する検出手順と；前記検出手順により検出した受信レベルに基づき、前記入力手順により入力した前記第１の位置検出機器と前記第２の位置検出機器との間の前記所定の距離から、前記演算処理部を用いて前記天井面における前記複数の照明制御負荷部の設置位置を出力するように演算処理する演算処理手順と；を含むことを特徴とする。
【発明の効果】
【００１８】
請求項１の本発明によれば、天井面に配設された複数の照明制御負荷部の設置位置を自動的に検出することを可能にして、作業者が手作業で複数の照明制御負荷部の設置位置を取得することなく、自動的に複数の照明制御負荷部の設置位置情報を取得することができる照明制御システムを提供することができる。
【００１９】
請求項２の発明によれば、請求項１の発明と同様の効果を得る他に、前記第１及び第２の位置検出機器と前記照明制御負荷部毎との無線通信の受信レベルの検出は、前記複数の照明制御負荷部とそれぞれに割り当てられているアドレスとが対応付けされた対応データに基づいて行うことにより、自動的に複数の照明器具の設置位置情報を取得できる。
【００２０】
請求項３の発明によれば、請求項１の発明と同様の効果を得る他に、前記複数の照明制御負荷部は、複数の照明器具及びセンサ部を有して構成することで、照明制御システムの自由度を拡大でき、様々な使用形態で用いることができる照明制御システムの実現が可能である。
【００２１】
請求項４の発明によれば、請求項１の発明と同様の効果を得ることができる。
【発明を実施するための最良の形態】
【００２２】
以下、図面を参照して本発明の実施の形態を説明する。
【００２３】
（一実施の形態）
図１から図１３は本発明の一実施の形態に係り、図１は本実施の形態の照明制御システムの構成を説明するもので、オフィス内の天井面に設置された状態の平面図、図２は図１のオフィスを矢印Ａ方向からみた場合の配置構成を説明するための側面図、図３は照明制御システム全体の無線通信を説明するためのブロック図、図４は図１の複数設けられた照明器具の具体的な構成を示すブロック図、図５は図１の第１の位置検出機器の具体的な構成を示すブロック図、図６は図１の第２の位置検出機器の具体的な構成を示すブロック図、図８から図１２は本実施の形態の照明制御システムの変形例を示す図、図１３は照明制御システムに用いられる位置検出方法を説明するための流れ図である。
【００２４】
図１及び図２に示すように、本実施の形態の照明制御システム１は、例えば建物内のオフィス５０の天井面５０ａに配設されるようになっている。
【００２５】
具体的な構成を説明すると、前記照明制御システム１は、図１から図３に示すように、第１の位置検出機器２と、第２の位置検出機器３と、前記第１の位置検出機器２又は第２の位置検出機器３と通信可能に接続される操作用パーソナルコンピュータ（以降、操作用ＰＣと称す）４と、天井面５０ａに複数配設される照明器具５（５ａ〜５ｉ）と、を有して構成されている。  
尚、前記操作用ＰＣ４は前記演算処理部を構成し、前記照明器具５（５ａ〜５ｉ）は前記照明制御負荷部を構成している。
【００２６】
また、オフィス５０の壁面には照明器具５を制御するための照明制御装置６０が設けられている。この照明制御装置６０は無線通信部を有しており、直接照明器具５と無線通信可能に構成されている。但し、照明制御装置６０は、位置検出機器に接続されて位置検出機器を介して照明器具５とデータ通信しても良い。
【００２７】
図１及び図２に示すように、前記複数の照明器具５（５ａ〜５ｉ）は、オフィス５０内の天井面５０ａに所定間隔で配設されている。  
尚、本実施の形態では、照明器具５は、９個の照明器具５ａ〜５ｉを配設した場合について説明するが、これに限定されるものではなく、複数個（ｎ個（ｎは整数））配設すれば良い。また、天井面５０ａはオフィス５０内のもので、このオフィス５０は、壁で区切られて構成される屋内の同一空間であることが望ましい。さらに、複数の照明器具５ａ〜５ｉは、天井面５０aに配設されて互いに高低差の無いように設置されるのが望ましいが、照明器具５ａ〜５ｉの大きさや配設位置の状況に合わせて多少高低差があってもよい。
【００２８】
また、第１の位置検出機器２及び第２の位置検出機器３を結ぶ直線に対し、位置を検出する対象となる各照明器具５は、天井面５０ａから見たときに左右のどちらか一方のみに配設しておくことが望ましい。この場合には、２つの位置検出機器２、３で照明器具５の位置を特定することができるため、必要な位置検出機器の数が最小限で済み、演算処理も容易になり、照明制御システムの構成を簡易にすることができる。
【００２９】
このように複数の照明器具５ａ〜５ｉを配設した施工後の配置形態が図１及び図２に示されている。尚、複数の照明器具５ａ〜５ｉは施工後ではなく、一時的に設置した場合でも良い。
【００３０】
各照明器具５ａ〜５ｉは、第１の位置検出機器２及び第２の位置検出機器３、照明制御装置６０と無線通信を行うための無線通信部（図示しない）を備えている。尚、第１の位置検出機器２及び第２の位置検出機器３は、例えば常設の場合には、各照明器具５ａ〜５ｉの内、所定の照明器具に組み込んで一体的に構成しても良い。
【００３１】
本実施の形態では、前記複数の照明器具５ａ〜５ｉの設置位置を自動的に取得・検知するために、前記第１の位置検出機器２と、第２の位置検出機器３と、操作用ＰＣ４とが設けられている。
【００３２】
第１の位置検出機器２と第２の位置検出機器３とは、図１及び図２に示すように、オフィス５０の天井面５０ａ基端側の片隅に一直線上となるように配置されている。  
この場合、第１及び第２の位置検出機器２、３は、前記複数の照明器具５ａ〜５ｉとは高低差の無いように設置されるようになっている。また、前記第１の位置検出機器２と前記第２の位置検出機器３との間の距離Ｌは、作業者が測定することによって得られるようになっている。
【００３３】
尚、距離Ｌの測定は第１の位置検出機器２と第２の位置検出機器３との受信レベルから求めてもよく、受信レベルの測定は複数回行い平均値を求めてから距離に換算する構成が好ましい。
【００３４】
また、第１の位置検出機器２は、図２に示すように、例えば作業者が保持している操作用ＰＣ４と無線方式によりデータの送受信が可能となるように構成されている。  
尚、操作用ＰＣ４は、例えば携帯性を考慮して作業者が容易に持ち運べ且つ操作指示可能なノート型パーソナルコンピュータを用いることが望ましいが、これに限定されるのではない。また、操作用ＰＣ４は、接続ケーブルを用いて、第１の位置検出機器２との間でデータの送受信を行うように構成しても良い。
【００３５】
次に、照明制御システム１の構成要素である第１及び第２の位置検出機器、及び照明器具の具体的な構成について、図３から図６を参照しながら説明する。  
図３に示すように、第１の位置検出機器２と第２の位置検出機器３とは、お互いに送受信可能に構成されている。
【００３６】
また、第１の位置検出機器２と複数の照明器具５ａ〜５ｉとは、お互いに送受信可能に構成されている。また、第２の位置検出機器３と前記複数の照明器具５ａ〜５ｉとについても同様に、お互いに送受信可能に構成されている。
【００３７】
尚、受信レベルと距離には一定の相関関係があるため各機器間の距離は受信レベルから換算して求めることができる。つまり、距離が長くなると無線信号が減衰するため送信レベルが同じ場合には受信レベルが小さくなれば距離が長くなるという関係を有している。
【００３８】
ここでは、照明器具５aと第１及び第２の位置検出機器２、３との距離はそれぞれ受信レベルr１a、ｒ２aとして示され、同様に照明器具５bと第１及び第２の位置検出機器２、３との距離はそれぞれ受信レベルr１ｂ、ｒ２ｂとして示される。
【００３９】
そして、第１の位置検出機器２と第２の位置検出機器３との距離及び照明器具５と第１及び第２の位置検出機器２、３との距離が分かれば第１及び第２の位置検出機器２、３に対する照明器具５の位置が決まる。
【００４０】
このように各機器間の受信レベルを測定することによって、天井面からみたときの第１及び第２の位置検出機器に対する各照明制御負荷部の相対的な位置関係としての設置位置情報を演算することができる。
【００４１】
そして、第１の位置検出機器２と通信可能に接続される操作用ＰＣ４は、照明制御システム１全体を制御するもので、具体的には前記第１の位置検出機器２及び第２の位置検出機器３の動作を制御する。
【００４２】
また、操作用ＰＣ４は、前記第１及び第２の位置検出機器２、３により検出したデータと予め測定した第１及び第２の位置検出機器２、３間の距離Ｌデータとに基づき、各照明器具５ａ〜５ｉの設置位置を求めるための演算処理を行う演算処理部（図示せず）と、求めた各照明器具５ａ〜５ｉの設置位置データ等を記憶する記憶部（図示せず）とを有している。
【００４３】
尚、操作用ＰＣ４は、オフィス５０の壁等に設置可能な、例えばタッチパネル方式の入力操作部を有する操作パネルに代えて構成しても良い。この場合もこの操作パネルは、操作用ＰＣ４と同様の前記演算処理部等の処理機能及び制御機能を有している。
【００４４】
また、前記照明器具５ａ〜５ｉは、オフィス５０の壁に設けられる照明制御装置６０（図１及び図２参照）によってグループ毎のオン／オフ又は調光レベルが制御される。この場合、照明制御装置６０によるグループ毎のオン／オフ又は調光レベルを制御する操作信号（制御信号）は、無線式によって各照明器具５ａ〜５ｉに送信される。そして、各照明器具５ａ〜５ｉは受信した操作信号に基づいてグループ毎のオン／オフ又は調光レベルが制御されるようになっている。
【００４５】
図４には前記複数設けられた照明器具５（５ａ〜５ｉ）の具体的な構成が示されている。
【００４６】
図４に示すように、照明器具５（５ａ〜５ｂ）は、送受信アンテナ６と、前記第１及び第２の位置検出機器２、３との間でデータの送受信を行うための無線通信部７と、この無線通信部７によるデータの送受信を制御する子機制御部８と、照明制御装置６０からの照明器具５のグループ毎のオン／オフ又は調光レベルを制御するための操作信号（制御信号）を受信しその操作信号に基づきランプ１０の明るさを制御する通信機能付インバータ９と、この通信機能付インバータ９によって明るさが制御されるランプ１０とを有している。  
尚、送受信アンテナ６は、通信機能付インバータ９内に設けられて照明制御装置６０からの操作信号を受信する受信アンテナ（図示せず）に替えて用いるように構成しても良い。
【００４７】
また、無線通信部７には、レベル測定部７ａが電気的に接続されている。このレベル測定部７ａは、受信した受信データの受信レベルを測定し、測定結果を無線通信部７に出力する。
【００４８】
そして、子機制御部８は、前記測定結果を含む各種データを第１又は第２の位置検出機器２、３に送信するように無線通信部７を制御するようになっている。
【００４９】
図５には図３の第１の位置検出機器２の具体的な構成が示されている。  
図５に示すように、第１の位置検出機器２は、送受信アンテナ１１と、前記第２の位置検出機器３又は照明器具５との間でデータの送受信を行うための無線通信部１２と、この無線通信部１２によるデータの送受信を制御する親機制御部１３とを有して構成されている。そして、前記親機制御部１３には、前記操作用ＰＣ４が接続ケーブル２ａによって電気的に接続されている。
【００５０】
無線通信部１２は、照明器具５の無線通信部７から出力された受信レベルの測定結果を受信することができる。
【００５１】
また、無線通信部１２には、レベル測定部１２ａが電気的に接続されている。このレベル測定部１２ａは、受信した受信データの受信レベルを測定し、測定結果を無線通信部１２に出力する。
【００５２】
そして、親機制御部１３は、前記測定結果を含む各種データ又は照明器具５で測定した受信レベルの測定結果を操作用ＰＣ４に出力するように制御する。  
また、親機制御部１３は、操作用ＰＣ４による操作指示に基づき、例えばテストフレーム等のデータを各照明器具５ａ〜５ｉに例えば順次又は同時に送信するように無線通信部１２を制御したり、又は各照明器具５ａ〜５ｉから返送された返送フレーム等のデータを無線通信部１２によって順次又は同時に受信した場合には受信した返送フレーム等のデータを前記測定結果と共に取り込み、操作用ＰＣ４に出力するように制御する。
【００５３】
尚、前記テストフレーム等のデータのパケット構成としては、例えば、宛先アドレス、発信元アドレス、データ長、テストフレームであるコマンド等を識別するためのコマンド種別、及び任意のデータ等で構成されている。
【００５４】
さらに、親機制御部１３は、第２の位置検出機器３に対してデータの送受信を行うように無線通信部１２を制御する。
【００５５】
図６には図３の第２の位置検出機器３の具体的な構成が示されている。  
図６に示すように、第２の位置検出機器３は、前記第１の位置検出機器２と略同様に、送受信アンテナ１４と、前記第１の位置検出機器２又は照明器具５との間でデータの送受信を行うための無線通信部１５と、この無線通信部１５によるデータの送受信を制御する親機制御部１６とを有して構成されている。
【００５６】
また、無線通信部１５には、レベル測定部１５ａが電気的に接続されている。このレベル測定部１５ａは、受信した受信データの受信レベルを測定し、測定結果を無線通信部１５に出力する。
【００５７】
そして、親機制御部１６は、照明器具５で測定した受信レベルの測定結果又は前記測定結果を含む各種データを前記第１の位置検出機器２に送信するように無線通信部１５を制御する。  
また、親機制御部１６は、前記第１の位置検出機器２から送信される操作指示に基づき、例えばテストフレーム等のデータを各照明器具５ａ〜５ｉに例えば順次又は同時に送信するように無線通信部１５を制御したり、又は各照明器具５ａ〜５ｉから返送された返送フレーム等のデータを無線通信部１５によって順次受信した場合には受信した返送フレーム等のデータを前記測定結果とともに前記第１の位置検出機器２に送信するように無線通信部１５を制御する。
【００５８】
さらに、親機制御部１６は、第１の位置検出機器２に対してデータの送受信を行うように無線通信部１５を制御する。
【００５９】
尚、本実施の形態の照明制御システム１は、図７〜図１２に示す変形例に示すように構成しても良い。このような変形例を図７〜図１２を参照しながら説明する。  
図７〜図１２は照明制御システム１の変形例を示し、図７は変形例の照明制御システムの構成を説明するもので、オフィス内の天井面に設置された状態の平面図、図８は図７のオフィスを矢印Ａ方向からみた場合の配置構成を説明するための側面図、図９は図７の複数設けられた照明器具の具体的な構成を示すブロック図、図１０は図７のセンサ部の具体的に構成を示すブロック図、図１１は図７の第１の位置検出機器の具体的な構成を示すブロック図、図１２は図７の第２の位置検出機器の具体的な構成を示すブロック図である。
【００６０】
変形例の照明制御システム１は、複数の照明器具５ａ〜５ｉの内、いずれかの照明器具５に替えて少なくとも１つ以上のセンサ部２１を設けて構成されている。尚、このセンサ部２１は前記照明制御負荷部を構成している。
【００６１】
具体的な構成を説明すると、照明制御システム１は、図７及び図８に示すように、第１の位置検出機器２と、第２の位置検出機器３と、前記第１の位置検出機器２に電気的に接続される操作用ＰＣ４と、天井面５０ａに複数配設される照明器具５（５ａ、５ｃ、５ｄ、５ｅ、５ｇ、５ｉ）と、これらの照明器具５の間の天井面５０ａに少なくとも１つ以上（本変形例では３個）配設されるセンサ部２１（２１ａ〜２１ｃ）とを有して構成されている。
【００６２】
図７及び図８に示すように、複数の照明器具５（５ａ〜５ｉ）の内、照明器具５ｂ、５ｆ、５ｈを取り外し、その替わりの天井面５０ａの位置に、３つのセンサ部２１ａ〜２１ｃを配設している。
【００６３】
尚、本変形例では、センサ部２１は、３個のセンサ部２１ａ〜２１ｃを配設した場合について説明するが、これに限定されるものではなく、少なくとも１つ以上配設すれば良く、又は必要に応じて照明器具５を削除し全ての前記照明制御負荷部がセンサ部２１となるように複数設けて構成しても良い。
【００６４】
また、センサ部２１ａ〜２１ｃ及び照明器具５は、第１及び第２の位置検出機器２、３とは、本実施の形態と同様に高低差のないように設置されるようになっている。
【００６５】
また、センサ部２１ａ〜２１ｃは、前記第１の位置検出機器２及び第２の位置検出機器３とは、お互いに送受信可能に構成されている。
【００６６】
図１０には前記複数設けられたセンサ部２１（２１ａ〜２１ｃ）の具体的な構成が示されている。
【００６７】
図１０に示すように、センサ部２１（２１ａ〜２１ｃ）は、送受信アンテナ２２と、前記第１及び第２の位置検出機器２、３との間でデータの送受信を行うための無線通信部２３と、この無線通信部２３によるデータの送受信を制御するセンサ制御部２４と、例えば、図示しない人感センサ部又は照度センサ部を有し、これら人感センサ部又は照度センサ部からの検出信号を検出するセンサ検出部２５とを有して構成されている。
【００６８】
また、無線通信部２３には、レベル測定部２３ａが電気的に接続されている。このレベル測定部２３ａは、受信した受信データの受信レベルを測定し、測定結果を無線通信部２３に出力する。
【００６９】
そして、センサ制御部２４は、前記測定結果を含む各種データを第１又は第２の位置検出機器２、３に送信するように無線通信部２３を制御するようになっている。
【００７０】
尚、センサ部２１（２１ａ〜２１ｃ）のセンサ制御部２４は、センサ検出部２５からの検出結果に基づく制御信号を生成し、送受信アンテナ２２を介してオフィス５０の壁に設けられる照明制御装置６０に送信するように制御する。この場合、照明制御装置６０は、受信した制御信号に基づいて、予め指定された照明器具５をオン／オフしたり、調光レベルを制御したり制御することになる。
【００７１】
また、本変形例に用いられる、照明器具５の具体的な構成は図９に示し、第１の位置検出機器２は図１１に示し、第２の位置検出機器３は図１２に示している。すなわち、これらの構成要素である照明器具５、第１及び第２の位置検出機器２、３は、本実施の形態のものと同様に構成されている。
【００７２】
但し、本変形例では、前記したようにセンサ部２１ａ〜２１ｃを設けているので、第１及び第２の位置検出機器２、３の各親機制御部１３、１６は、操作用ＰＣ４による操作指示に基づき、例えばテストフレーム等のデータを各照明器具５及びセンサ部２１ａ〜２１ｃに例えば順次又は同時に送信するように無線通信部１２を制御したり、又は各照明器具５及びセンサ部２１ａ〜２１ｃから返送された返送フレーム等のデータを無線通信部１２、１５によって順次又は同時に受信した場合には受信した返送フレーム等のデータを前記測定結果と共に取り込み、操作用ＰＣ４に出力するように制御する。
【００７３】
尚、前記センサ部２１ａ〜２１ｃが設けられたことで、前記第１の位置検出機器２の親機制御部１３は、操作用ＰＣ４から供給されたコマンドに基づき、照明器具５及びセンサ部２１のリスト、すなわち、予め各照明器具５ａ、５ｃ、５ｄ、５ｅ、５ｇ、５ｉ及びセンサ部２１ａ〜２１ｃに割り当てられた固有のアドレスのリストデータを作成することになる。
【００７４】
このため、第１及び第２の位置検出機器２、３の各親機制御部１３、１６は、この作成したリストデータの固有のアドレスに基づき、例えば順次又は同時に照明器具５、及びセンサ部２１ａ〜２１ｃに対してテストフレームのデータを送信するように無線通信部１２、１５を制御する。
【００７５】
尚、このような変形例も可能な本実施の形態では、操作用ＰＣ４内の前記演算処理部及び記憶部（共に図示せず）は、操作用ＰＣ４以外の機器、例えば第１の位置検出機器２、第２の位置検出機器３、照明器具５、及びセンサ部２１のいずれかの機器に設けて構成しても良い。
【００７６】
ここで、本実施の形態の照明制御システム１では、受信レベルを検出するための信号（テストデータ）の送受信状態に着目すると、このデータの送受信状態は、少なくともオフィス５０等の室内の湿度や温度によって影響してしまう虞れがある。
【００７７】
このような場合、このデータの受信レベルが例えば送信毎に変わってしまったりするため、データの受信レベルを正確に測定することが難しくなってしまい、結果として、正確な照明器具５の設置位置を検出することが困難になってしまう虞れがある。
【００７８】
そこで、本実施の形態の照明制御システム１は、データの受信レベルを正確に測定するために、第１及び第２の位置検出機器２、３によるデータの受信感度レベル又はデータの送信レベルを合わせるように補正する補正手段を有している。
【００７９】
この補正手段は、例えば第１の位置検出機器２で取得する受信感度レベル又は送信レベルと、第２の位置検出機器３で取得する受信感度レベル又は送信レベルとを一致させるようにそれぞれのデータの送信出力レベル又は受信感度レベルを補正するように処理を行う。
【００８０】
例えば、第１又は第２の位置検出機器２、３で無線通信を行う場合にそれぞれが取得する受信レベルは、一方の位置検出機器から送信されたデータの送信レベルとこれを受信する他方の位置検出機器の受信感度レベルとを乗算したものを、第１又は第２の位置検出機器２、３との距離の二乗で割ったものに相当する。
【００８１】
このとき、受信感度レベル又は送信レベルを一致させておけばどちらか一方の受信感度レベル又は送信レベルを補正することによって両者の受信レベルを一致させることができる。
【００８２】
尚、このような補正手段は、前記演算処理部及び記憶部を有する機器、例えば操作用ＰＣ４、あるいは第１及び第２の位置検出機器２、３側に設けて補正処理を行うように構成すれば良い。
【００８３】
例えば、第１及び第２の位置検出機器２、３側に補正手段を設けた場合には、双方の親機制御部１３、１６がこの補正処理を行うように制御する。
【００８４】
具体的には、第１の位置検出機器２の親機制御部１３が予めデータの送信レベルを合わせるように第２の位置検出機器３の親機制御部１６に通信を行い、そして、取得した受信レベルと、第２の位置検出機器３が取得した受信レベルとを合わせるように補正処理を施す。
【００８５】
そして、第１の位置検出機器２は、補正したデータを、演算処理手段及び記憶部（図示せず）を有する機器である操作用ＰＣ４に出力する。そして、操作用ＰＣ４は、この補正データを基に演算処理手段を用いて演算処理を行うことにより、各照明器具５ａ〜５ｉの設置位置（アドレス）を求めることになる。
【００８６】
尚、この補正手段は、操作用ＰＣ４又は第１及び第２の位置検出機器２、３側に設けた構成について説明したが、勿論、操作用ＰＣ等の入力操作部を用いて作業者によって補正するように構成しても良い。
【００８７】
次に、このように構成された照明制御システムにより行われる位置検出方法について、図１３を参照しながら説明する。  
尚、以下の説明は、前記複数の照明器具５ａ〜５ｉが予め図１に示すように天井面５０ａに配設されているものとして説明する。勿論、複数の照明器具５ａ〜５ｉの内、いずれかの照明器具５に替えて少なくとも１つ以上のセンサ部２１（２１ａ〜２１ｃ）を設けて構成されている図７に示すような構成でも適用可能である。そのため、前記複数の照明器具５ａ〜５ｉには、センサ部２１（２１ａ〜２１ｃ）含むものとして説明する。
【００８８】
いま、作業者は、図１に示す照明制御システム１を用いて、グルーピングを行うのに必要な各照明器具５ａ〜５ｉの設置位置（アドレス）を検出するものとする。
【００８９】
ここで、作業者は、図１３のステップＳ１に示すように、第１の位置検出機器２と第２の位置検出機器３とを、図１及び図２（又は図７及び図８）に示すように、オフィス５０の片隅に一直線上となるように天井面５０ａに設置する。この場合、第１の位置検出機器２に接続ケーブル２ａを用いて操作用ＰＣ４を接続する。
【００９０】
そして、作業者は、前記第１の位置検出機器２と前記第２の位置検出機器３との間の距離Ｌを計測する。
【００９１】
その後、作業者は、照明制御システム１の電源投入後、計測した前記第１の位置検出機器２と前記第２の位置検出機器３との間の距離Ｌデータを操作用ＰＣ４を用いて入力する。
【００９２】
尚、この手順は前記入力手順を示している。  
また、前記ステップＳ１は省略しても良い。但し、この場合には、以下の各ステップＳ２〜ステップＳ７によって照明器具５の相対的な位置関係のみが演算されることになる。
【００９３】
そして、作業者は、ステップＳ２に示すように、操作用ＰＣ４を操作して、"測定開始"を示すコマンドを実行する。
【００９４】
すると、第１の位置検出機器２の親機制御部１３は、操作用ＰＣ４から供給されたコマンドに基づき、位置検出対象である照明制御負荷部を構成する照明器具５のリスト、すなわち、予め各照明器具５ａ〜５ｉに割り当てられた固有のアドレスのリストデータを作成し、このリストデータを第２の位置検出機器３に送信するように無線通信部１２を制御する。
【００９５】
このことにより、第２の位置検出機器３の親機制御部１６は、このリストデータを送受信アンテナ１４を介して受信すると、このリストデータを格納すると同時に、前記第１の位置検出機器２から測定開始コマンドが受信されるまで動作待機状態となる。
【００９６】
尚、第１の位置検出機器２は、電源投入後、第２の位置検出機器３との間の補正データの送受信によって得られる受信レベルの平均値を基準値として取得し、操作用ＰＣ４に出力するようになっている。この場合、操作用ＰＣ４はこの基準値を図示しない記憶部に記憶する。
【００９７】
そして、第１の位置検出機器２の親機制御部１３は、前記作成したリストデータの固有のアドレスの内、いずれか１つのアドレスを指定した、例えば照明器具５ａに対してテストフレームのデータを送信するように無線通信部１２を制御する。
【００９８】
すると、ステップＳ３に示すように、照明器具５ａの無線通信部７は、送信されたテストフレームのデータを送受信アンテナ６を介して受信すると同時に、レベル測定部７ａによってこの受信したデータの受信レベルを測定し、測定結果を子機制御部８に出力する。
【００９９】
その後、この照明器具５ａの子機制御部８は、この測定結果である受信レベルとこの照明器具５ａの自局アドレスとのデータを含むフレームデータ（以下、返送フレームと称す）を作成し、第１の位置検出機器２へと返送するように無線通信部１２を制御する。
【０１００】
ステップＳ４の処理では、第１の位置検出機器２の無線通信部１２は、照明器具５ａから返送された返送フレームを送受信アンテナ１１を介して受信すると同時に、レベル測定部１２ａによってこの受信した返送フレームの受信レベルを測定し、測定結果を親機制御部１３に出力する。
【０１０１】
この第１の位置検出機器２の親機制御部１３は、前記測定結果を自局受信レベルとして返送フレームとともに操作用ＰＣ４へと出力するよう制御する。
【０１０２】
そして、ステップＳ５に示すように、操作用ＰＣは、供給された第１の位置検出機器２からの自局受信レベルと返送フレームとのデータを照明器具５ａのものとして図示しない記憶部に記憶させる。
【０１０３】
このように第１の位置検出機器２の親機制御部１３は、リストデータの次のアドレスの照明器具５ｂから照明器具５ｉまでの照明器具５に対して、前記ステップＳ２から前記ステップＳ５までの処理を順次行うように制御する。
【０１０４】
そして、全ての照明器具５ａ〜５ｉまでの返送フレームと自局受信レベルとのデータを操作用ＰＣ４の図示しない記憶部に記憶後、操作用ＰＣ４は、ステップＳ６の処理により、第１の位置検出機器２の無線通信部１２を制御して、第２の位置検出機器３に対して、位置検出対象照明器具５を指定し、つまり、前記第１の位置検出機器３により開始されたアドレスの照明器具５ａを指定するとともに、測定開始コマンドを送信する。
【０１０５】
すると、動作待機状態であった第２の位置検出機器３は、ステップＳ７に示すように、測定開始コマンドを受信すると、前記同様に、前記第１の位置検出機器２による前記ステップＳ２から前記ステップＳ４の処理を順次行い、各照明器具５ａ〜５ｉに基づく各受信レベルと各返送フレームとのデータをそれぞれ取得する。
【０１０６】
そして、第２の位置検出機器３の親機制御部１６は、これら取得した各受信レベルと各返送フレームとのデータを第１の位置検出機器２に送信するように無線通信部１５を制御する。
【０１０７】
第１の位置検出機器２の無線通信部１２は、第２の位置検出機器３から送信された各受信レベルと各返送フレームとのデータを受信し、その後、これら第２の位置検出機器３からの受信データは、親機制御部１３によって操作用ＰＣ４に出力されて、前記同様に操作用ＰＣ４の図示しない記憶部に記憶される。
【０１０８】
このように動作することで、操作用ＰＣ４の図示しない記憶部には、予め入力された第１の位置検出機器２と第２の位置検出機器３との距離Ｌデータ及び受信レベルの基準値と、第１の位置検出機器２と各照明器具５ａ〜５ｉとのそれぞれの受信レベルと返送フレームとのデータと、第２の位置検出機器３と各照明器具５ａ〜５ｉとのそれぞれの受信レベルと返送フレームとのデータとが記憶されることになる。尚、前記ステップＳ２から前記ステップＳ７までの処理が前記検出手順を示している。
【０１０９】
尚、上記説明では第１の位置検出機器及び第２の位置検出機器３で受信した受信レベルと第１の位置検出機器及び第２の位置検出機器３から送信された無線信号の各照明器具における受信レベルとの両方を取得する構成となっているが、位置検出のために使用する受信レベルのデータは、いずれか一方の受信レベルであってもよいし、両者を平均したものなどであってもよい。以下の説明では、特に限定しない限り受信レベルとは照明器具側の受信レベルと第１又は第２の位置検出機器側の受信レベルのいずれか一方、又は両者を平均したものなどを含むものとする。
【０１１０】
尚、本実施の形態では、第１及び第２の位置検出機器２、３は、前記ステップＳ２〜ステップＳ４の処理をそれぞれ順次行うように説明したが、これに限定されるものではなく、例えば前記ステップＳ２〜ステップＳ４の処理をそれぞれ同時に行うように制御しても良い。
【０１１１】
具体的には、第１の位置検出機器２の親機制御部１３は、前記作成したリストデータの固有のアドレス全てに対応する照明器具５ａ〜５ｉに対してテストフレームのデータを送信するように無線通信部１２を制御する。
【０１１２】
そして、第１の位置検出機器２の無線通信部１２は、照明器具５ａ〜５ｉから返送された全ての返送フレームを送受信アンテナ１１を介して受信すると同時に、レベル測定部１２ａによってこれら受信した返送フレームの受信レベルをそれぞれ測定し、測定結果を親機制御部１３に出力する。そして、この親機制御部１３は、前記測定結果を自局受信レベルとして全ての返送フレームとともに操作用ＰＣ４へと出力するよう制御する。
【０１１３】
また、第２の位置検出機器３の親機制御部１６は、前記第１の位置検出機器２と同様に、測定開始コマンドを受信すると、前記作成したリストデータの固有のアドレス全てに対応する照明器具５ａ〜５ｉに対してテストフレームのデータを同時に送信するように無線通信部１２を制御する。
【０１１４】
そして、第２の位置検出機器３の無線通信部１５は、照明器具５ａ〜５ｉから返送された全ての返送フレームを送受信アンテナ１４を介して受信すると同時に、レベル測定部１５ａによってこれら受信した返送フレームの受信レベルをそれぞれ測定し、測定結果を親機制御部１６に出力する。こうして、第２の位置検出機器３は、各照明器具５ａ〜５ｉに基づく各受信レベルと各返送フレームとのデータをそれぞれ一度に取得する。そして、この親機制御部１６は、前記測定結果を自局受信レベルとして全ての返送フレームとともに操作用ＰＣ４へと出力するよう制御する。
【０１１５】
また、送信する信号は送信先のアドレスを指定せずに自己のアドレスを含むテストフレームをブロードキャストで一斉に送信してもよい。つまり、第１の位置検出機器２は自己のアドレスに対してなんらかの返信を行うように各照明器具５に制御信号を送信すればよい。このとき各照明器具が自己のアドレスとともに第１の位置検出機器２へ返信することによって、第１の位置検出機器２は各照明器具５のアドレスデータとともに各照明器具５から送信された無線信号の受信レベルを取得することができる。  
こうして、第１及び第２の位置検出機器２，３により得られた受信レベルの一例が表１に示されている。
【表１】
2008243806.tif 000003
【０１１６】
すなわち、各照明器具５ａ〜５ｉ（センサ部２１も含む）の設置位置を演算処理により求めるために必要な第１及び第２の位置検出機器２、３により取得する受信レベルデータは、前記表１に示すような２種類となる。
【０１１７】
しかしながら、第１及び第２の位置検出機器２、３による全ての照明器具５ａ〜５ｉ（センサ部２１も含む）に対するテストフレーム及び返送フレームのデータの送受信をそれぞれ同時、すなわち２度の送受信を同時に行うことで、前記表１に示す２種類の受信レベルデータを短時間で所得することが可能となる。このため、短時間で且つ同じ条件で受信レベルデータを検出しているので、時間的変動による誤差を少なくすることが可能となる。
【０１１８】
また、本実施の形態の照明制御システム１は、前記補正手段を用いて、例えば照明器具５に対するデータの送受信により第１の位置検出機器２で取得する受信レベルと、照明器具５に対するデータの送受信により第２の位置検出機器３で取得する受信レベルとを一致させるようにそれぞれのデータの送信レベル又は受信レベルを補正するように処理が行われる。
【０１１９】
このことにより、第１及び第２の位置検出機器２、３と照明器具５ａ〜５ｉ（センサ部２１も含む）との間で行われるデータの送受信の場合に、少なくともオフィス５０等の室内の湿度や温度により送受信のデータの送受信レベルに影響があったとしても、第１及び第２の位置検出機器２、３にてデータの受信レベル又は送信レベルを合わせるように補正されるので、正確にデータの受信レベルを測定することが可能となる。
【０１２０】
尚、この受信レベルの補正処理においては、この補正手段を有する機器の制御部が、例えば各照明器具５ａ〜５ｉ（センサ部２１も含む）との送受信により得られた返送フレーム等のデータ内に重畳された機器識別情報（例えば照明器具であればフラグ１、センサ部２１であればフラグ２等）を検出し、予め機器識別情報毎に設定された補正係数テーブからこの検出結果に対応する補正係数を読み出し、この読み出した補正係数を用いて前記受信レベルの補正処理を行うように制御しても良い。これにより、より簡単で且つ自動的に補正処理を行える。
【０１２１】
このようにして、第１及び第２の位置検出機器２、３によって受信レベルデータが取得され、これらの受信レベルデータ等のデータは、操作用ＰＣ４の記憶部に記憶されることになる。
【０１２２】
その後、操作用ＰＣ４は、ステップＳ８に示すように、図示しない記憶部に記憶されている第１の位置検出機器２と第２の位置検出機器３との距離Ｌデータ及び受信レベルの基準値と、第１の位置検出機器２と各照明器具５ａ〜５ｉとのそれぞれの受信レベルと返送フレームとのデータと、第２の位置検出機器３と各照明器具５ａ〜５ｉとのそれぞれの受信レベルと返送フレームとのデータとを読み出し、これら読み出したデータを用いて図示しない演算処理部により演算処理を行って、各照明器具５ａ〜５ｉの設置位置（アドレス）を求める。
【０１２３】
具体的な演算処理とは、例えば第１の位置検出機器２の座標を基準にした場合、第１の位置検出機器２と第２の位置検出機器３との距離をＺとし、第１の位置検出機器２と測定対象の照明器具５（センサ部２１を含む）との受信レベルから換算して求まる距離Ｘ、第２の位置検出機器３と前記測定対象の照明器具５（センサ部２１を含む）との受信レベルから換算して求まる距離Ｙとし、前記測定対象の照明器具５（センサ部２１を含む）の座標である設置位置ｘ、ｙ（この場合ｘは第１の位置検出機器２と第２の位置検出機器３とを結ぶ線（ｘ軸）上において第１の位置検出機器２からの距離であり、ｙはこのｘ軸に直交する方向（ｙ軸）においてｘ軸から測定対象の照明器具５（センサ部２１を含む）までの距離であるとすると、測定対象の照明器具５（センサ部２１を含む）の設置位置ｘ、ｙ（アドレス）は、下記の（式１）及び（式２）により、求めることができる。
【式１】
【０１２４】
2008243806.tif 000004
【式２】
【０１２５】
2008243806.tif 000005
尚、本実施の形態では、照明器具５ａ〜５ｉ（センサ部２１を含む）が天井面に配設された２次元の設置位置を求める演算処理について説明したが、勿論、天井面から離間して設けられた三次元の設置位置を求める場合でも適用可能であり、このような場合には、天井面からの高さ方向のパラメータを用いて演算処理すれば、各照明器具５ａ〜５ｉ（センサ部２１を含む）の設置位置（アドレス）を求めることが可能である。
【０１２６】
このことにより、グルーピングを行うのに必要な各照明器具５ａ〜５ｉの設置位置（アドレス）を自動的に取得・検出することが可能となる。尚、前記ステップＳ８の処理が前記演算処理手順を示している。
【０１２７】
その後、作業者は、予め操作用ＰＣ４に組み込まれた図面化又は画面表示化（グラフ化）のためのプログラムを実行すれば、取得した各照明器具５ａ〜５ｉの設置位置に基づく図面又は画面表示を自動的に行うことが可能となる。
【０１２８】
この場合、前記図面又は画面表示には、各照明器具５ａ〜５ｉ、及びセンサ部２１の設置位置は勿論、各照明器具５ａ〜５ｉ、及びセンサ部２１の向きなども表示されるので、作業者は容易に各照明器具５ａ〜５ｉ、及びセンサ部２１の設置状態を認識することができる。
【０１２９】
尚、操作用ＰＣ４は、各照明器具５ａ〜５ｉの設置位置（アドレス）の取得後、自動的に、グルーピングを行うための各照明器具５ａ〜５ｉの設置位置に基づく図面又は画面表示を行うように制御しても良い。
【０１３０】
また、本実施の形態では、第１の位置検出機器２と第２の位置検出機器３との距離Ｌを作業者の計測により取得したが、これに限定されるものではなく、例えば予め決められた距離Ｌを記憶しておき、この距離Ｌとなるように第１及び第２の位置検出機器２、３を設置するようにしても良い。
【０１３１】
また、本実施の形態では、第１の位置検出機器２と第２の位置検出機器３とによってそれぞれ照明器具５ａ〜５ｉ（センサ部２１を含む）に対してテストフレームのデータを順次又は同時に送信するようにして、それぞれの受信レベルを取得したが、これに限定されるものではなく、例えば各照明器具５ａ〜５ｉ（センサ部２１を含む）から第１及び第２の位置検出機器２、３に対してテストフレームのデータを順次又は同時に送信するようにしてそれぞれの受信レベルを各照明器具５側にて取得しても良い。この場合、各照明器具５ａ〜５ｉは、取得した受信レベルのデータを第１又は第２の位置検出機器２、３を介して操作用ＰＣ４に順次又は同時に送信するように制御する。
【０１３２】
さらに、本実施の形態では、例えば第１の位置検出機器２が予め各照明器具５ａ〜５ｉ（センサ部２１を含む）に割り当てられた固有のアドレスのリストデータを作成する場合の各照明器具５ａ〜５ｉ（センサ部２１を含む）とのデータの受信レベルを用いて演算処理を行うことで、各照明器具５ａ〜５ｉの設置位置を求めるようにしても良い。
【０１３３】
さらに、また本実施の形態では、第１の位置検出機器２と第２の位置検出機器３とは、図１及び図２（又は図７及び図８）に示すように、オフィス５０の天井面５０ａ基端側の片隅に一直線上となるように配置されているが、仮説の場合には、天井面５０ａの中央近傍に配置することもある。
【０１３４】
このような場合、取得した各照明器具５ａ〜５ｉの設置位置に基づく図面又は画面表示には、左右対称の各照明器具５ａ〜５ｉ、センサ部２１が表示されてしまうが、このセンサ部２１の出力に基づいて、画面又は画面表示上の対応する照明器具５を点灯させれば、作業者は該当する照明器具５又はセンサ部２１の設置位置を識別することができる。尚、この操作は、操作用ＰＣ４の入力操作部を用いて操作指示を与えれば良い。
【０１３５】
したがって、本実施の形態によれば、天井面５０ａに配設された複数の照明器具５ａ〜５ｉ、センサ部２１（２１ａ〜２１ｃ）の設置位置を自動的に検出することができるので、作業の簡易化及び作業時間の短縮化を図れる照明制御システム１及びこの照明制御システムに用いられる位置検出方法を提供することができる。
【０１３６】
以上の実施の形態に記載した発明は、その実施の形態に限ることなく、その他、実施段階ではその要旨を逸脱しない範囲で種々の変形を実施し得ることが可能である。さらに、前記実施の形態には、種々の段階の発明が含まれており、開示される複数の構成要件における適宜な組合せにより種々の発明が抽出され得る。
【０１３７】
例えば、実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０１３８】
【図１】本発明の本実施の形態の照明制御システムの構成を説明する、オフィス内の天井面に設置された状態の平面図。
【図２】図１のオフィスを矢印Ａ方向からみた場合の配置構成を説明するための側面図。
【図３】照明制御システム全体の無線通信を説明するためのブロック図。
【図４】図１の複数設けられた照明器具の具体的な構成を示すブロック図。
【図５】図１の第１の位置検出機器の具体的な構成を示すブロック図。
【図６】図１の第２の位置検出機器の具体的な構成を示すブロック図。
【図７】本実施の形態の変形例の照明制御システムの構成を説明する、オフィス内の天井面に設置された状態の平面図。
【図８】図７のオフィスを矢印Ａ方向からみた場合の配置構成を説明するための側面図。
【図９】図７の複数設けられた照明器具の具体的な構成を示すブロック図。
【図１０】図７のセンサ部の具体的に構成を示すブロック図。
【図１１】図７の第１の位置検出機器の具体的な構成を示すブロック図。
【図１２】図７の第２の位置検出機器の具体的な構成を示すブロック図。
【図１３】照明制御システムに用いられる位置検出方法を説明するための流れ図。
【符号の説明】
【０１３９】
１…照明制御システム、
２…第１の位置検出機器、
２ａ…接続ケーブル、
３…第２の位置検出機器、
４…操作用ＰＣ、
５、５ａ〜５ｉ…照明器具、
６…送受信アンテナ、
７ａ…レベル測定部、
７…無線通信部、
８…子機制御部、
９…通信機能付インバータ、
１０…ランプ、
１１…送受信アンテナ、
１２ａ…レベル測定部、
１２…無線通信部、
１３…親機制御部、
１４…送受信アンテナ、
１５…無線通信部、
１５ａ…レベル測定部、
１６…親機制御部、
２１、２１ａ〜２１ｃ…センサ部、
５０…オフィス、
５０ａ…天井面、
６０…照明制御装置。
【図１】
2008243806.tif 000006
【図２】
2008243806.tif 000007
【図３】
2008243806.tif 000008
【図４】
2008243806.tif 000009
【図５】
2008243806.tif 000010
【図６】
2008243806.tif 000011
【図７】
2008243806.tif 000012
【図８】
2008243806.tif 000013
【図９】
2008243806.tif 000014
【図１０】
2008243806.tif 000015
【図１１】
2008243806.tif 000016
【図１２】
2008243806.tif 000017
【図１３】
2008243806.tif 000018